(57)【要約】  【課題】ダイヤルが意に反して操作されてしまうのを防止することで、ダイヤル番号の失念によって金庫が開閉不能になることを回避する。  【解決手段】ダイヤル錠３０を有する金庫１の正面部に、所定位置に凹部を有する正面部材１０を設け、その凹部にダイヤル操作部３３を設け、正面部材の上縁部１１と下縁部１２に、ダイヤル操作部を覆うカバー部材１３をスライド可能に取り付けた。ダイヤルを操作する際にのみ、カバー部材１３をスライドさせてダイヤル操作部３３を露呈させるので、ダイヤルが不用意に操作されるのを防止できる。【選択図】図１
2010059745.tif 000002
【特許請求の範囲】
【請求項１】
ダイヤル錠（３０）を有する金庫（１）であって、ダイヤル操作部（３３）が設けられた正面部にレール部材を設け、該レール部材に、前記ダイヤル操作部（３３）の一部又は全部を覆うカバー部材（１３）をスライド可能に取り付け、該カバー部材（１３）がスライドされた際に、前記ダイヤル操作部（３３）が露呈されるように構成したことを特徴とする金庫。
【請求項２】
前記正面部に、所定位置に凹部を有する正面部材（１０）を取り付け、前記凹部に前記ダイヤル操作部（３３）を設けると共に、前記正面部材（１０）の端縁部（１１，１２）をもって、前記カバー部材（１３）が取り付けられる前記レール部材を構成したことを特徴とする請求項１に記載の金庫。
【請求項３】
前記カバー部材（１３）は、透明部材からなることを特徴とする請求項１又は請求項２に記載の金庫。
【請求項４】
金品が収容される容器（２）と、前記容器（２）を遮蔽する蓋部（３）と、該蓋部に設けられた把持部（４）と、を含んで構成したことを特徴とする請求項１〜請求項３の何れか１つの請求項に記載の金庫
【発明の詳細な説明】
【技術分野】
【０００１】
本発明は、ダイヤル錠を有する金庫に関し、特に、ダイヤル番号の失念によって開閉不能となることを防止できる金庫に関する。
【背景技術】
【０００２】
従来、金庫における施錠手段として、ダイヤル式の鍵が多用されているが、かかるダイヤル式の金庫においては防盗性や使用性を高めるために、様々な技術が提案されている。
例えば、硬貨や紙幣等を収納保管した状態で持ち運びに供される手提げ式の金庫においては、防盗性を高めると共に施錠方法の選択を可能とするために、特許文献１に示すように、ダイヤル錠と共にシリンダ錠を設けたものがある。かかる金庫においては、ダイヤルが不用意に操作されるのを防止するために、金庫の正面を窪ませて、その凹部にダイヤル操作部を設けている。
【特許文献１】特開２００４−２２５４４０号公報
【発明の開示】
【発明が解決しようとする課題】
【０００３】
しかし、複数の施錠手段を有する金庫においては、開閉時の煩雑さを防止するために、ダイヤル錠は常時開錠しておき、シリンダ錠のみによって、金庫の開閉がなされる場合がある。
この場合において、開錠状態のダイヤルに手が触れ、施錠されてしまうことがあり、ダイヤル番号を失念した時には金庫を開けることができないことがあった。
また、内容物を出し入れしている際に、ダイヤルに手が触れて回ってしまい、ダイヤルを再操作しなければ蓋を閉じることができない場合もあった。
【０００４】
そこで、本発明は、ダイヤル錠を有する金庫において、ダイヤル番号の失念によって開閉不能となることを防止することを目的とする。
【課題を解決するための手段】
【０００５】
上記課題を解決するために、本発明は、ダイヤル錠を有する金庫であって、ダイヤル操作部の設けられた正面部にレール部材を設け、該レール部材に、前記ダイヤル操作部の一部又は全部を覆うカバー部材をスライド可能に取り付け、該カバー部材がスライドされた際に、前記ダイヤル操作部が露呈されるように構成したことを特徴とするものである。
【０００６】
この場合、前記正面部に、所定位置に凹部を有する正面部材を取り付け、前記凹部に前記ダイヤル操作部を設けると共に、前記正面部材の端縁部をもって、前記カバー部材が取り付けられる前記レール部材を構成してもよい。
また、前記カバー部材は、透明部材からなるものであってもよい。
また、金品が収容される容器と、前記容器を遮蔽する蓋部と、該蓋部に設けられた把持部と、を含んで構成されるものであってもよい。
【発明の効果】
【０００７】
請求項1に係る金庫は、正面部にレール部材を設け、そのレール部材にカバー部材をスライド可能に取り付け、カバー部材をスライドさせることによって、ダイヤル操作部を覆ったり、露呈させたりすることができるようにしたので、不使用時はカバー部材でダイヤル操作部を覆っておくことによって、ダイヤルが不用意に回転されるのを防止することができる。
このため、開錠された状態のダイヤルに手が触れるのを回避できるので、ダイヤル錠が意に反して施錠されてしまうのを防止することができる。これによって、ダイヤル番号の失念等により開閉不能となることを効果的に防止できる。
【０００８】
請求項２に係る金庫は、所定位置を窪ませて凹部を設けた正面部材を正面部に取り付け、この凹部にダイヤル操作部を設けたので、ダイヤルに手が触れるのを一層効果的に防止できる。
また、正面部材に設けられた凹部にダイヤル操作部を設けると共に、正面部材の端縁部をもって、カバー部材をスライド可能に取り付けるレール部としたので、正面部材の上面にカバー部材を摺接させることができる。
これによって、金庫の壁面から構造物が突出しないようにすることができるので、コンパクトで収納に便利な金庫を構成することができる。
【０００９】
請求項３に係る金庫は、カバー部材が透明なので、ダイヤル操作部の位置や施錠状態を把握することが容易になる。
請求項４に係る金庫は、金品を容器に収納した状態での持ち運びが可能な金庫において、ダイヤル操作部をスライド可能なカバー部材で覆ったので、持ち運びの際に、不用意にダイヤルが操作されてしまうのを効果的に防止できる。
【発明を実施するための最良の形態】
【００１０】
本発明の好適な実施形態を、添付図面に基づいて説明する。なお、実施形態は以下の形態に限定されるものではなく、本発明の課題を解決し得るものであれば、他の態様も可能である。
【００１１】
図１は、本発明の実施形態に係る金庫１を示す斜視図である。
この金庫１は、金品が収容される容器２と、容器２を遮蔽する蓋３と、この蓋３に設けられた把持部５とからなるもので、容器２の正面に取り付けられた正面部材１０に、各種の施錠手段２０、３０を設けたものである。
【００１２】
この金庫１の容器２は、耐火性の高い材料からなる有底無蓋の箱状体であり、蓋３を開けると、図２に示すように、容器２の縁部に沿って開口部を形成し、その内部に貴重品等を保管するための収納スペース６を設けている。
【００１３】
そして、容器２の開口縁部には、別部材からなるトレイ４０が載置されている。
このトレイ４０は、収納スペース６を遮蔽すると共に、硬貨や紙幣等を種類ごとに分離して収容するためのものであり、硬貨や紙幣のサイズに応じて複数の収容部４１,４２が画成されている。
【００１４】
紙幣を収容するための紙幣収容部４１には、トレイ４０の上縁部に設けられた図示しない捩りコイルバネを介して札押さえ部材４３が設けられている。
この札押さえ部材４３は、径の細い針金を折曲させて形成されたもので、紙幣収納部４１内に収納された紙幣を上方から押圧すべく、捩りコイルバネによって付勢されている。この付勢力に抗して札押さえ部材４３を上方に持ち上げ、紙幣収納部４１内に紙幣を差し入れる。
【００１５】
これらの収納部４１の底部には、幅の狭い溝部４４が形成されている。最下層に収納した紙幣を取り出す際には、この溝部４４に指先を挿入することによって取り出しを容易にすることができる。
硬貨を収容するための硬貨収容部４２には、図３に示すように、別体の硬貨用トレイ５０が取り付けられている。
この硬貨用トレイ５０は、硬貨収容部４２から取り出して、手前が下になるように傾斜させた状態で使用することができるように、正面から底部にかけての外壁面を傾斜状又は湾曲状に構成したものであり、内部には、硬貨を種類別に収納できるように、１円、５円、１０円、５０円、１００円及び５００円等、硬貨のサイズに応じた形状の収納部５１ａ〜５１ｆが設けられている。
【００１６】
このうち、５１a〜５１dの収容部は、硬貨を厚み方向に積み重ねて収容する部位であり、仕切板５２によって、硬貨のサイズに応じた幅に区画されている。
また、これらの収容部５１a〜５１dには、そこに収容されている硬貨の合計金額を容易に把握できるようにするために、例えば図４に示すような表示部が設けられている。
【００１７】
この表示部は、上方に硬貨の種類を示すタイトル（例えば１円）を表示し、その下を硬貨積載方向に沿って3列に区分し、１列目に、下端部から硬貨１枚分の間隔をあけて基準線ｐを設けた後、硬貨２枚に相当する間隔の目盛り線ａと硬貨３枚に相当する間隔の目盛り線ｂとを交互に配設し、夫々の目盛りに、その位置に対応する金額（例えばタイトルが１円の場合、１、３、６，８，１１，１３，・・・ｎ，ｎ＋２，n＋２+３）を表示している。
中央の２列目には、下端部から硬貨２枚分の間隔をあけて基準線ｐ’を設けた後、同様に硬貨２枚に相当する間隔の目盛り線ｂと硬貨３枚に相当する間隔の目盛り線ｃとを交互に配設し、夫々の目盛りにその位置に対応する金額（２、４、７，９，１２，１４・・・ｎ＋１，ｎ＋１＋２，ｎ＋１＋２＋３）を表示し、そして、３列目には、下端部ｐ”から硬貨５枚分に相当する間隔ｃ毎に、その位置に対応する金額（５，１０，１５・・・ｎ）を表示している（ｎは５の倍数）。
【００１８】
このように、硬貨積載方向に沿って３列に区分し、そのうちの２列の表示部に、硬貨２枚に相当する間隔の目盛り線ａと硬貨３枚に相当する間隔の目盛り線ｂとを交互に配設し、残りの１列に硬貨５枚に相当する目盛りすることによって、５枚単位に計数することが容易になり、１円玉５枚と５円、１０円玉５枚と５０円、１００円玉５枚と５００円の両替にも便利である。
これらの硬貨収容部５１ａ〜５１ｄの端部には、図３に示すように、凹状部５３が設けられており、指先による収納部５１ａ〜５１ｄ内へのアクセスを容易にしている。
【００１９】
この硬貨用トレイ５０の上方には、硬貨用トレイ蓋６０が設けられており、不使用時には収納部５１ａ〜５１ｄ内に収容した硬貨を上方から覆うようにしている（図２を参照）。
この硬貨用トレイ蓋６０は、金庫１の蓋２を閉じた際に、図示しない捩りコイルバネを介して容器２の背面側の縁部に設けられた蓋押圧部６１によって押圧されるようになっている。
【００２０】
このようなトレイ４０を介装した状態で容器２を遮蔽することができるように、容器２の開口縁部２ａに設けられたヒンジ２ｂを介して、蓋３が回動可能に取り付けられている。
この蓋３には、上面を一部内側に陥没させて凹部４が設けられており、この凹部４に設けられた取付部を介して把持部５が回動可能に取り付けられている。
【００２１】
把持部５は、手を挿入して掴持できるような形状の取っ手部材からなり、上側に回転させることで、運搬時に金庫１の手提げが可能となる。
不使用時には、把持部５を下側に回転させて蓋３の凹部４内に収容し、蓋２の上面から突出しないようにすることができる。このように構成することで、不使用時にはコンパクトになり、戸棚や引き出しへの収納が容易になり、積み重ねも可能となる。
【００２２】
この金庫１には、シリンダ錠２０とダイヤル錠３０の２種類の施錠手段が設けられている。
詳しくは、蓋３の正面側の縁部には、シリンダ錠のための係止片２１と，ダイヤル錠のための係止片３１が設けられ、容器２には、それらに対応する位置に係止溝２２、３２が設けられている。
蓋３を閉じた際に、係止溝２２，３２に係止片２１，３１が差し込まれて係合し、その係合状態を、夫々の施錠手段２０、３０が、以下の機構によってロックする。
【００２３】
シリンダ錠２０は、鍵穴２１内に別体の鍵を差し込んで回転させて、係止片２１と係合溝２２とのロック状態を切り替える。
ダイヤル錠３０は、所定の目盛りに合わせてダイヤル操作部３３を回転させることによって、係止片３１と係止溝３２とのロック状態を切り替える。
双方の施錠手段２０、３０におけるロックを解除した後、正面中央に設けられた操作レバー３５を操作することで、係止溝２２,３２内に設けられた図示しない係合手段が、係止片２１，３１から離脱し、係止片２１，３１と係止溝２２，３２との係止状態が解除され、蓋２が開放される。
【００２４】
このような施錠手段２０，３０は、金庫１の正面側の外壁の中央を窪ませた部位に設けられている。詳しくは、金庫１の正面に化粧板を兼ねた正面部材１０を取り付け、その正面部材１０にシリンダキー２０の鍵穴と、ダイヤル錠３０のダイヤル操作部３３と、操作レバー３５とを設けている。
この正面部材１０は、所定部位に凹部を有する四角形の板部材であり、その凹部に、ダイヤル操作部３３等が設けられる。
【００２５】
正面部材１０の上縁部１１と下縁部１２は、レール状になっており、それらの端縁部１１，１２に、カバー部材１３がスライド自在に取り付けられている。
このカバー部材１３は、透明な合成樹脂製の板部材からなり、不使用時にはダイヤル操作部３３を覆い、ダイヤル操作時にのみスライドさせて、ダイヤル操作部３３を露呈させることができるような形状に形成れている（図２参照）。
【００２６】
このように、正面部材１０の端縁部をレール状にして、そこにカバー部材１３をスライド可能に取り付け、カバー部材１３をスライドさせることによって、ダイヤル操作部３３を覆ったり、露呈させたりすることができるようにしたので、不使用時はカバー部材１３でダイヤル操作部３３を覆っておくことによって、ダイヤルが不用意に回転されるのを防止できる。
このため、開錠された状態のダイヤルに手が触れるのを回避できるので、ダイヤル錠が意に反して施錠されてしまうのを回避でき、ダイヤル番号の失念等により開閉不能となることを防止できる。
【００２７】
また、容器２の壁面に、所定位置に凹部を有する正面部材１０を取り付け、その凹部にダイヤル操作部３３を設けることで、ダイヤルに手が触れるのを効果的に防止できる。
このように、金庫１の壁面から窪んだ部位にダイヤル操作部３３を設けると共に、正面部材１０の側縁部をもって、カバー部材１３をスライド可能に取り付けるレール部としたので、正面部材１０の上面にカバー部材１３を摺接させることができる。これによって、金庫１の壁面から構造物が突出するのを抑制することができ、コンパクトにすることができる。
【００２８】
なお、本実施形態では、正面部材の縁部１１，１２をもってレール部材としたが、金庫１の壁面にダイヤル錠を直接設け、その両側にレール状の部材を設け、そのレール部材に、カバー部材１３を取り付けてもよい。
また、本実施形態では、カバー部材１３を透明部材で構成することによって、ダイヤル操作部の位置や施錠状態を把握し易いようにしたが、図５に示すカバー部材１３’のように、不透明部材を使用することによってデザイン性を高めてもよい。
【００２９】
この場合、ダイヤル操作部３３をカバー部材１３で覆った際に、ダイヤルの目盛りが僅かに表れるような形状（例えば、本実施形態のような「くの字型」）にカバー部材１３を構成することによって、ダイヤル操作部３３の位置を把握し易くしてもよいし、図６に示すカバー部材１３”のように、ダイヤルが全て隠れるような形状にしてもよい。
また、本実施形態の金庫１は、容器２の蓋部５に把持部を設けた手提げ金庫であるが、把持部を設けない設置型の金庫でもよいし、ダイヤル錠を金庫の扉に設けても良いし、上面に設けても良い。
【産業上の利用可能性】
【００３０】
本発明は、あらゆる産業分野において使用される収納庫に適用することができる。
【図面の簡単な説明】
【００３１】
【図１】本発明の第１実施形態に係る金庫を示す斜視図である。
【図２】上記金庫の蓋部を開放した状態を示す斜視図である。
【図３】上記金庫のトレイを示す斜視図である。
【図４】硬貨収容用トレイの表示を示す説明図であり、（Ａ）は、１円収容部の表示で、（Ｂ）は１０円収容部の表示で、（Ｃ）は１００円収容部の表示である。
【図５】上記カバー部材の第１の変形例を示す正面図である。
【図６】上記カバー部材の第２の変形例を示す正面図である。
【符号の説明】
【００３２】
１・・・金庫
２・・・容器
３・・・蓋
４・・・凹部
５・・・把持部
６・・・収納スペース
１０・・・正面部材
１１・・・上端縁部（レール部材）
１２・・・下端縁部（レール部材）
１３・・・カバー部材
２０・・・シリンダ錠
２１・・・係止部
２２・・・係止溝
３０・・・ダイヤル錠
３１・・・係止部
３２・・・係止溝
３３・・・ダイヤル操作部
３５・・・操作レバー
４０・・・トレイ
４１・・・紙幣収容部
４２・・・硬貨収容部
４３・・・札押さえ部材
４４・・・溝部
５０・・・硬貨用トレイ
５１・・・収納部
５２・・・仕切板
５３・・・凹状部
６０・・・硬貨用トレイ蓋
６１・・・蓋押圧部
【図１】
2010059745.tif 000003
【図２】
2010059745.tif 000004
【図３】
2010059745.tif 000005
【図４】
2010059745.tif 000006
【図５】
2010059745.tif 000007
【図６】
2010059745.tif 000008